(57)【特許請求の範囲】
【請求項１】
垂直方向段状に構成された棚部に空気温度調整装置の室外機を設置する段状設置具において、下段の棚部に立設して垂直に配置する垂直材と、室外機を載置する棚部を構成するために水平に配置する水平材と、互いに直交した両端面で前記水平材を結合すると共に垂直方向の対向する両端面に形成された穴により前記垂直材を結合する結合部材と、最下段に位置する棚部を構成する際に用いる前記結合部材の、前記垂直材を結合した面とは反対の面に設けられる脚部と、を備えたことを特徴とする段状設置具。
【請求項２】
請求項１記載の段状設置具を用いた室外機の設置工法において、結合部材の垂直方向の対向する両端面のうちの一方の端面に脚部を設け、この脚部を設けた前記結合部材に対して水平材を結合して最下段の棚部を構成し、最下段の棚部に室外機を載置した後、脚部を設けた前記結合部材の他方の端面に垂直材を結合し、その後、垂直材の上部にて上段の棚部を構成し、上段の棚部に室外機を載置することを特徴とする室外機の設置工法。
【発明の詳細な説明】
【０００１】
【発明の属する技術分野】
本発明は、組立が容易でかつ狭スペースにおいて室外機を垂直方向段状に容易に載置することができる段状設置具及び設置工法に関するものである。
【０００２】
【従来の技術】
室内機と室外機とからなるいわゆるセパレートタイプの空気温度調整装置（以下、エアコンという）は、室内機を構造物の内部に、室外機を構造物の外部に設置する。室外機は、例えば構造物が一般住宅の場合、特に地面上において設置スペースに余裕のない場合は上下段状に積み重ねて設置する場合がある。
【０００３】
上記したように室外機を地面上で上下２段に設置する際に用いる段状設置具としては、例えば４本の垂直材と、８本の水平材と、４本の取付腕材とからなるものが知られている。
【０００４】
４本の垂直材は、地面に垂直状でかつ平面視長方形状に配置する。８本の水平材は、４本ずつで室外機を設置するための上段、下段の各々の棚部を構成する。水平材は、４本の垂直材間に該垂直材と結合されて設けられる。４本の取付腕材は、室外機を載置するためのものであり、上段、下段の棚部において各々２本ずつ用いられる。取付腕材は、２本の対向する水平材間に架けられる。
【０００５】
上記構成の段状設置具は、４本の垂直材における下部と上部に、それぞれ４本の水平材と取付腕材とで形成される上段と下段の棚部が構成され、この上段と下段の棚部に室外機がそれぞれ載置される。なお、上段の棚部は、４本の垂直材の上部であっても上端であってもよく、取付腕材は、対向する水平材間において長辺の水平材間に架けてもよいし、短辺の水平材間に架けてもよい。
【０００６】
【発明が解決しようとする課題】
しかしながら、上記した従来の段状設置具は、組み立てるのに手間がかかるといった問題があった。すなわち、従来の段状設置具は、例えば４本の垂直材を立設するには、隣り合う垂直材の水平方向の移動を禁止すべく上段又は下段の４本の水平材が必要となる。このとき、１本の水平材に１本の垂直材を結合する順序でなければ、４本の垂直材を立設することができず、組み立てに非常に時間がかかるのである。
【０００７】
また、従来の段状設置具は、室外機を下段の棚部に挿入して載置するには、上段の棚部の構成前又は組み立てが完了した後のいずれにおいても、４本の水平材の短辺側からの挿入はこの短辺側における垂直材の間隔が狭いので非常に困難であり、実際には４本の水平材の長辺側から挿入するが、やはり４本の垂直材が邪魔になって挿入が困難である。また、全体を組み立てた後であれば、上記に加えてさらに上段の棚部が邪魔になって室外機を下段の棚部に挿入しにくい。
【０００８】
また、昨今の住宅事情では隣り合う住宅とのスペースが十分ではない場合が多く、住宅間の狭スペースに室外機を段状に設置しようとして従来の段状設置具を用いた場合、４本の水平材のうち長辺側が住宅の壁面に接するように配置する。このとき、従来の段状設置具は、上記したように実際には４本の水平材のうち長辺側から室外機を挿入しようとしても、隣の住宅とのスペースが狭いため、室外機を下段の棚部へ挿入して載置することが困難であった。
【０００９】
本発明は、上記の問題を解決するものであり、組立が容易でかつ狭スペースにおいて下段の棚部に室外機を容易に載置することができる段状設置具及び室外機の設置工法を提供することを目的とする。
【００１０】
【課題を解決するための手段】
上記の目的を達成するために、本発明は、互いに直交した両端面で水平材を結合すると共に垂直方向の対向する両端面に形成された穴により下段の棚部に立設する垂直材を結合する結合部材と、最下段に位置する棚部を構成する際に用いる結合部材の、垂直材を結合した面とは反対の面に設けられる脚部と、を備え、脚部及び下段の棚部を垂直材とは別に組み立てることができるようにしたのである。
【００１１】
このようにすることで、脚部上に下段の棚部を構成した状態で、かつ垂直材を立設する前の状態において、該下段の棚部に室外機を載置することができるから、垂直材が邪魔になることない。また、下段の棚部に室外機を載置した後において、垂直材を立設し、上段の棚部を構成するといった組み立て作業は、既に基礎となる脚部と最下段の棚部とによって垂直材の位置が決定されているので非常に簡便となる。
【００１２】
【発明の実施の形態】
本発明の段状設置具は、垂直方向段状に構成された棚部に空気温度調整装置の室外機を設置する段状設置具において、下段の棚部に立設して垂直に配置する垂直材と、室外機を載置する棚部を構成するために水平に配置する水平材と、互いに直交した両端面で水平材を結合すると共に垂直方向の対向する両端面に形成された穴により垂直材を結合する結合部材と、最下段に位置する棚部を構成する際に用いる結合部材の、垂直材を結合した面とは反対の面に設けられる脚部と、を備えたものである。
【００１３】
上記によれば、本発明の段状設置具は、特に結合部材を用いて最下段の棚部を垂直材を立設することとは別に構成することができる。つまり従来は、垂直材を立設するときに同時に下段の棚部を構成しなければならず、特に垂直材の立設に手間がかかった。それに対し、本発明の段状設置具は、垂直材と脚部とが別部材とされ、かつ結合部材により下段の棚部及び脚部とを構成した後に、つまり地面上に基礎となる脚部と下段の棚部とを配置した状態で垂直材を立設するから、非常に簡便に組み立てることができる。
【００１４】
そして、本発明の段状設置具は、本発明の室外機の設置工法を用いて室外機を設置することによって最良の効果を得ることができる。すなわち本発明の室外機の設置工法は、結合部材の垂直方向の対向する両端面のうちの一方の端面に脚部を設け、この脚部を設けた結合部材に対して水平材を結合して最下段の棚部を構成し、最下段の棚部に室外機を載置した後、脚部を設けた結合部材の他方の端面に垂直材を結合し、その後、垂直材の上部にて上段の棚部を構成し、上段の棚部に室外機を載置するものである。
【００１５】
上記によれば、脚部及び下段の棚部を垂直材とは別体で設けることで、垂直材を立設する前に垂直材が邪魔になることなく、下段の棚部における住宅の壁面に隣接していない水平方向のどの方向からでも該下段の棚部へ室外機を容易に挿入して載置することができる。
【００１６】
また、下段の棚部を組み立てて、室外機を載置した後に、垂直材を立設し、上段の棚部を組み立てるようにしているので、垂直材は既に組み立てられた下部の棚部において安定状態にある係合部材に対して確実かつ容易に立設することができ、その結果、上段の棚部も容易に構成することができる。
【００１７】
【実施例】
以下に、本発明の段状設置具と本発明の室外機の設置工法の実施例について図面を参照して説明する。
図１は、本発明の段状設置具の分解斜視図を示す。図２〜図６は、本発明の段状設置具を用いた本発明の室外機の設置工法を説明するための図である。
【００１８】
１は、エアコンの室外機Ｐを地面に垂直方向段状に設置する段状設置具であり、次のように構成されている。２は、垂直に配置する垂直材であり、本実施例では例えば平面視長方形の後述する上段の棚部３Ｂを構成するために、下段の棚部３Ａの四隅に立設すべく４本用いる。垂直材２は、本実施例ではアルミ製としているため、その耐荷重強度を向上させると共にさらなる軽量化を図るために断面を１／４円弧状の筒状体としている。
【００１９】
３は、室外機Ｐを載置する例えば本実施例では上下２段の棚部３Ｂ，３Ａを構成するために水平に配置する水平材である。水平材３は、長辺水平材３ａと短辺水平材３ｂとからなり、本実施例ではそれぞれアルミ製とすると共に断面Ｌ字状としている。なお、以下、長辺水平材３ａと短辺水平材３ｂとを総称するときは、単に水平材３と記す。水平材３の断面Ｌ字状の角部内側には、後述する取付材６の端部を載置して案内し、任意位置で取り付けるための案内取付部３Ｃが形成されている。
【００２０】
４は、垂直材２及び後述する脚部５をその対向する水平両端面において結合し、また、水平材３を互いに直交した垂直両端面において結合する結合部材である。結合部材４は、上記したように垂直材２及び後述する脚部５とを結合するために、対向する水平両端面には１／４円弧状の穴４Ａが、一方、上記したように水平材３を結合するために、直交した垂直両端面にはＬ字状の穴４Ｂが、それぞれ形成されている。
【００２１】
また、結合部材４は、本実施例では軽量化のためにプラスチックを用いているが、当該結合部材４を設ける箇所には荷重が集中することが予想されるのでアルミ製とすることが望ましい。このように、段状設置具１は、結合部材４に垂直材２及び水平材３の断面形状に応じた穴４Ａ，４Ｂを形成しているので、ボルトやナットなどを必要としないで確実な結合が可能となり、また、ボルトやナットなどを必要としないので組み立てが非常に簡便となる。
【００２２】
なお、結合部材４は、その内部においてが穴４Ａ，４Ｂからの挿入空間が共通とされており、本実施例では垂直材２及び脚部５が水平材３で面当たりすることにより穴４Ａに過剰に挿入されたりすることがないようになっている。結合部材４は、前記構成の他に例えば穴４Ａ，４Ｂからの挿入空間を別々に形成し、それぞれ異なる挿入空間に垂直材２及び脚部５、長辺水平材３ａ及び短辺水平材３ｂを挿入するようにしてもよい。
【００２３】
５は、最下段に位置する棚部３Ａを構成する際に用いられ、結合部材４の、垂直材２を結合する穴４Ａ（垂直材２を設ける面とは反対面の穴４Ａ）に結合される脚部である。この脚部５は、本実施例では例えば穴４Ａと結合可能な１／４円弧状の中実筒状の結合部５Ａと、下部に形成され、地面に設置される接地部５Ｂとを有する。
【００２４】
さらに、脚部５は、これら結合部５Ａと接地部５Ｂとの間において、該接地部５Ｂと一体に形成され、結合部５Ａの接地部５Ｂ側の端面に形成された螺子部（不図示）に対して螺進退移動が可能な調整部５Ｃが形成されている。すなわち、この調整部５Ｃにより、段状設置具１は、室外機Ｐを設置しようとする同一平面が均一的に水平ではない場合に高さ調整を行うことができる。
【００２５】
６は、前記水平材３における対向する長辺水平材３ａ，３ａ間又は短辺水平材３ｂ，３ｂ間に架けられ、室外機Ｐを棚部３Ａ，３Ｂに取り付ける取付材である。この取付材６は、例えば断面コ字状の開放両端部を互いに対向するように折り曲げた断面Ｃ字状のされ、この開放両端部を突き合わせた隙間にレール６Ａが形成されている。
【００２６】
このレール６Ａには、一端がレール６Ａ内部で該レール６Ａと係合し、かつ他端が室外機Ｐの底面の取付部（不図示）に取り付け可能なように螺子状とすると共に該レール６Ａから突出した取付部材６Ｂが設けられている。この取付部材６Ｂは、レール６Ａの内部で一端が係合し、該レール６Ａに案内されて取付材６の長手方向に移動可能とされている。そして、取付部材６Ｂの螺子状の部分には、室外機Ｐの振動等を緩衝する緩衝部材６ａを螺入している。
【００２７】
上記構成の段状設置具１を用いて室外機Ｐを上段と下段の２段状に設置するには以下のように行う。すなわち、例えばまず、４つの結合部材４の垂直方向の対向する両端面のうちの一方の端面に形成された穴４Ａに脚部５をそれぞれ設ける。そして、脚部５を設けた４つのうちの２つの結合部材４において、互いに直交する垂直両端面の一方の穴４Ｂに長辺水平材３ａを、他方の穴４Ｂに短辺水平材３ｂを結合する。この後、残りの２つの結合部材４に対して、いま水平材３を結合した２つの結合部材４を結合して下段の棚部３Ａを構成する。
【００２８】
続いて、例えば本実施例では対向する長辺水平材３ａ，３ａ間における案内取付部３Ｃに室外機Ｐの底面に形成された取付部の間隔となるように２本の取付材６を予め所定間隔で架けると共に、取付材６における取付部材６Ｂを、室外機Ｐの下面の取付部の間隔に応じてレール６Ａで移動させて予め調整しておく（図２参照）。
【００２９】
本実施例では案内取付部３Ｃと取付材６とは特段結合するようにしていないが、取付材６におけるレール６Ａが形成された側と反対の面に螺子孔を形成し、一方、案内取付部３Ｃの長さ方向全域又は所定間隔を存して複数の長孔を形成し、これらの孔に棚部３Ａの下面側からボルトを螺入するようにしてもよい。このようにすれば、水平材３が軽量化されると共に、室外機Ｐの取付が強固となる。
【００３０】
上記の後、脚部５における調整部５Ｃによって下段の棚部３Ａの水平状態を調整しておく。このように、室外機Ｐを載置する前に予め水平調整をすることで、水平調整自体が容易であると共に、後に下段及び上段の棚部３Ａ，３Ｂに室外機Ｐ，Ｐを載置する際に、安定した状態で作業が行える。
【００３１】
本発明の設置工法では、上記の後に、すなわち下段の棚部３Ａが組み立てられた後に、垂直材２を立設する前に室外機Ｐを下段に設置する（図３参照）。いま、室外機Ｐを下段の棚部３Ａに設置する際、垂直材２が未だ存在しないから住宅間において長辺水平材３ａ側のスペースが狭ければ短辺水平材３ｂ側から、短辺水平材３ｂ側のスペースが狭ければ長辺水平材３ａ側から、室外機Ｐを棚部３Ａに挿入し、載置すればよい。
【００３２】
従来は、本発明における垂直材２が脚部５を兼ねた１部材とされていたので、下段の棚部３Ａを構成した際には、既に垂直材２が存在することとなり、室外機Ｐを下段の棚部３Ａに載置するには、垂直材２が非常に邪魔となると共に、通常は長辺水平材３ａ側からしか下段の棚部３Ａに挿入し、載置することができなかった。
【００３３】
それに対し、本発明の段状設置具１及び設置工法は、垂直材２と脚部５とが別部材とされると共に、垂直材２を要しないで独立して先に脚部５と共に下段の棚部３Ａのみを構成するから、室外機Ｐを下段の棚部３Ａに広いスペース側から容易に設置することができる。また、垂直材２が邪魔にならないので、下段の棚部３Ａの広いスペースにおいて該下段３Ａに載置した室外機Ｐの配管接続を容易に行うことができる。
【００３４】
上記の後、例えば下段の棚部３Ａを構成するために用いた４つの結合部材４の脚部５を取り付けた側とは反対の面に、垂直材２を結合する（図４参照）。その後、下段の棚部３Ａと同様に、４個の結合部材４、２個の長辺水平材３ａ、２個の短辺部材３ｂを用いて上段の棚部３Ｂを構成し、２個の取付材６を長辺水平材３ａに架けると共に取付材６における取付部材６Ｂをレール６Ａに沿って移動させて調整しておく。
【００３５】
そして、結合部材４の対向する水平面における下面側の穴４Ａに、既に立設された垂直材２をそれぞれ結合し、本実施例では、上下段２段としているので、上段の棚部３Ｂを構成する際に用いた結合部材４の対向する水平面における上面側の穴４Ａは開放状態としておく（図５参照）。
【００３６】
なお、上中下段の３段状に設置する場合は、上記で開放状態とした結合部材４の対向する水平面における上面側の穴４Ａに垂直材２を結合して、さらに上段の棚部３Ｂを構成する。また、先に上段の棚部３Ｂを構成し、上段の棚部３Ｂの下面に垂直材２を結合した後に、この上段の棚部３Ｂと一体化された垂直材２を下段の棚部３Ａにおける結合部材４に結合するようにしてもよい。
【００３７】
上段の棚部３Ｂが構成された後、室外機Ｐを上段の棚部３Ｂに載置する（図６参照）。このように、本発明の設置工法では、特に設置スペースに余裕のない場合、垂直材２を立設する前に下段の棚部３Ａに室外機Ｐを載置するので、このときに該垂直材２が邪魔になることがなく、また、広いスペース側であれば長辺水平材３ａ側、短辺水平材３ｂ側、いずれの方向からでも室外機Ｐを下段の棚部３Ａに挿入し、載置することができる。
【００３８】
この結果、室外機Ｐを設置完了するまでに要する時間は、結合部材４を使用することで段状設置具１の組み立てに要する螺子やボルト箇所を少なくできるので短時間で組み立てることができ、また、下段の棚部３Ａへ室外機Ｐを簡単に載置することができると共に、その際に下段の棚部３Ａに載置する室外機Ｐの配管も垂直材２が邪魔になることなく行えるから、従来に較べて大幅に短縮される。
【００３９】
なお、段状設置具１は、例えば上記した設置工法における図２の段階、すなわち下段の棚部３Ａを予め工場で組み立てた状態で出荷するようにすれば、現場での作業はさらに短縮することができ、また、棚部３Ａ，３Ｂのみを工場で組み立てた状態で出荷すればより一層現場での作業時間を短縮することができる。
【００４０】
【発明の効果】
以上のように、本発明の段状設置具は、互いに直交した両端面で水平材を結合すると共に垂直方向の対向する両端面に形成された穴により下段の棚部に立設する垂直材を結合する結合部材と、最下段に位置する棚部を構成する際に用いる結合部材の、垂直材を結合した面とは反対の面に設けられる脚部と、を備えたので、垂直材を用いることなく垂直材を立設することとは別に独立して最下段の棚部を構成することができ、従って、簡便に組み立てることができる。
【００４１】
本発明の室外機の設置工法は、結合部材の垂直方向の対向する両端面のうちの一方の端面に脚部を設け、この脚部を設けた結合部材に対して水平材を結合して最下段の棚部を構成し、最下段の棚部に室外機を載置した後、脚部を設けた結合部材の他方の端面に垂直材を結合し、その後、垂直材の上部にて上段の棚部を構成し、上段の棚部に室外機を載置するので、垂直材を立設する前に下段の棚部と脚部とを組み立てることができ、また、垂直材が邪魔になることなく、下段の棚部における住宅の壁面に隣接していない水平方向のどの方向からでも該下段の棚部へ室外機を容易に挿入して載置することができる。
【図面の簡単な説明】
【図１】本発明の段状設置具の構成を示す分解斜視図である。
【図２】本発明の室外機の設置工法を手順において脚部と下段の棚部とを構成した状態を示す斜視図である。
【図３】本発明の室外機の設置工法を手順において下段の棚部に室外機を設置した状態を示す斜視図である。
【図４】本発明の室外機の設置工法を手順において垂直材を立設した状態を示す斜視図である。
【図５】本発明の室外機の設置工法を手順において上段の棚部を構成した状態を示す斜視図である。
【図６】本発明の室外機の設置工法を手順において上段の棚部に室外機を設置した状態を示す斜視図である。
【符号の説明】
１  段状設置具
２  垂直材
３  水平材
３Ａ  （下段の）棚部
３Ｂ  （上段の）棚部
３ａ  長辺水平材
３ｂ  短辺水平材
４  結合部材
５  脚部
６  取付材
【図１】
0003607907.tif 000002
【図２】
0003607907.tif 000003
【図３】
0003607907.tif 000004
【図４】
0003607907.tif 000005
【図５】
0003607907.tif 000006
【図６】
0003607907.tif 000007